(57)【特許請求の範囲】
【請求項１】
自動薬剤分包デバイス用の、薬剤の別個のポーションを供給するための輸送デバイス（１）であって：
１つ又は複数の前記薬剤の別個のポーションを収容するための、単一平面内に配設された、複数の上向きに開放された収容コンパートメント（１１）を有する、少なくとも１つの輸送トレイ（１０）と、
前記少なくとも１つの輸送トレイ（１０）を収容する支持フレーム（１２）と
によって特徴づけられ、
前記少なくとも１つの輸送トレイ（１０）は、前記支持フレーム（１２）に取り外し可能な様式で配設され、各前記収容コンパートメント（１１）は基部開口（１３）を備え、
前記支持フレーム（１２）は、少なくとも１つの閉鎖プレート（２１）を有する閉鎖デバイス（２０）を備え、また、単一平面内に配設された、前記少なくとも１つの輸送トレイ（１０）の前記基部開口（１３）は、前記少なくとも１つの輸送トレイ（１０）に対する前記少なくとも１つの閉鎖プレート（２１）の運動を用いて開放及び閉鎖できる、輸送デバイス（１）。
【請求項２】
前記少なくとも１つの閉鎖プレート（２１）は複数の凹部（２４）を有することを特徴とする、請求項１に記載の薬剤の別個のポーションを供給するための輸送デバイス（１）。
【請求項３】
前記輸送デバイス（１）は、復元手段（２２）を備え、
前記復元手段（２２）を用いて、前記少なくとも１つの閉鎖プレート（２１）を輸送位置へと移動させて、当該輸送位置に保持できることを特徴とする、請求項１又は２に記載の薬剤の別個のポーションを供給するための輸送デバイス（１）。
【請求項４】
前記輸送デバイス（１）はハンドル（２３）を備え、
前記ハンドル（２３）を用いて、前記少なくとも１つの輸送トレイ（１０）又は前記少なくとも１つの閉鎖プレート（２１）を輸送位置から薬剤送達位置へと移動させることができることを特徴とする、請求項１〜３のいずれか１項に記載の薬剤の別個のポーションを供給するための輸送デバイス（１）。
【請求項５】
前記少なくとも１つの閉鎖プレート（２１）は着脱可能に配設されることを特徴とする、請求項１〜４のいずれか１項に記載の薬剤の別個のポーションを供給するための輸送デバイス（１）。
【請求項６】
前記上向きに開放された収容コンパートメント（１１）は、複数の列として配設され、
前記閉鎖デバイス（２０）の前記少なくとも１つの閉鎖プレート（２１）は、前記収容コンパートメント（１１）の各前記列に割り当てられることを特徴とする、請求項１〜５のいずれか１項に記載の薬剤の別個のポーションを供給するための輸送デバイス（１）。
【請求項７】
前記輸送デバイスの前記支持フレーム（１２）は、ガイド手段（１７）を備え、
前記ガイド手段（１７）を介して、前記輸送デバイス（１）を前記自動薬剤分包デバイス内に配置又は挿入でき、また前記自動薬剤分包デバイス内で移動させることができることを特徴とする、請求項１〜６のいずれか１項に記載の薬剤の別個のポーションを供給するための輸送デバイス（１）。
【発明の詳細な説明】
【技術分野】
【０００１】
本発明は、自動薬剤分包デバイスのための輸送デバイスに関し、特に薬剤の別個のポーションを供給するための輸送デバイスに関する。
【背景技術】
【０００２】
薬剤の別個のポーションを供給するための輸送デバイスが従来技術から公知であり、このデバイスは、自動薬剤分包デバイスの、固定設置型ドロワーとして実現される。この自動薬剤分包デバイス上に、引き出された又は引き抜かれた状態の、上向きに開放された可動式輸送デバイスを配置してよく、この輸送デバイスから薬剤の別個のポーションが、固定設置型輸送デバイスに送達される。更に、固定設置型輸送デバイス及び可動式輸送デバイスの両方は、薬剤の別個のポーションのための、複数の収容コンパートメントを有し、収容コンパートメントの配置は互いに対して調整される。固定設置型輸送デバイスの収容コンパートメント及び可動式輸送デバイスの収容コンパートメントは、基部開口を有し、この底部開口は閉鎖手段を用いて開放でき、この閉鎖手段は各輸送デバイスの一体構成部品である。
【０００３】
薬剤の別個のポーションを送達するために、閉鎖手段は少なくとも１つの可動閉鎖プレートを含み、閉鎖プレートの運動により可動式又は固定設置型輸送デバイスの基部開口は開放され、これにより、可動式輸送デバイスの場合には、収容コンパートメント内に配置された薬剤の別個のポーションが、固定設置型輸送デバイスの対応する収容コンパートメントに送達される。上記対応する収容コンパートメントから、薬剤の別個のポーションを、自動薬剤分包デバイスの別のデバイスに送達してよく、自動薬剤分包デバイスは例えば薬剤の別個のポーションをブリスター包装ユニットに供給する。
【０００４】
薬剤の別個のポーションを収容コンパートメントに追加する際、又は可動式輸送デバイスから静置型輸送デバイスに薬剤を送達する際、薬剤の落下高さは、これら薬剤から薬剤粒子が剥落して、閉鎖プレート（特に基部開口の縁部領域において）及び閉鎖手段の他の部品を汚染することを意味する。剥落した薬剤粒子は、その後に供給される薬剤に付着してこれを汚染する場合があり、また基部開口が開放されると、可動式輸送デバイスから静置型輸送デバイスへ、又は静置型輸送デバイスから後続のデバイスへと送達されて、最終的にはブリスター包装まで送られる場合がある。
【０００５】
従って、収容コンパートメント及び閉鎖手段を定期的に完全に清掃して、剥落した薬剤粒子を除去することが至急必要とされている。公知の輸送デバイスでは、このような清掃には極めて時間がかかる。というのは、収容コンパートメントのための基部開口の領域の１つ又は複数の閉鎖プレートは、アクセスが困難であるためである。
【発明の概要】
【発明が解決しようとする課題】
【０００６】
従って本発明の目的は、デバイスの迅速な清掃、特に別個の収容コンパートメント及び１つ又は複数の閉鎖プレートの迅速な清掃を可能とする、薬剤の別個のポーションを供給するための輸送デバイスを提供することである。
【課題を解決するための手段】
【０００７】
この目的は、本発明により、請求項１の特徴を有する輸送デバイスを用いて達成される。
【０００８】
本発明による、自動薬剤分包デバイス用の、薬剤の別個のポーションを供給するための輸送デバイスは、薬剤の１つ又は複数の別個のポーションを収容するための、単一平面内に配設された、複数の上向きに開放された収容コンパートメントを有する、少なくとも１つの輸送トレイを備える。輸送デバイスは更に、上記少なくとも１つの輸送トレイを収容する支持フレームを備える。
【０００９】
少なくとも１つの輸送トレイは、支持フレームに取り外し可能な様式で配設され、複数の収容コンパートメントはそれぞれ基部開口を備え、この基部開口を介して、薬剤の別個のポーションを更なるデバイスに供給できる。
【００１０】
輸送デバイス又は支持フレームは更に、少なくとも１つの閉鎖プレートを有する閉鎖手段を備え、ここで、少なくとも１つの輸送トレイの収容コンパートメントの、単一平面内に配設された基部開口は、少なくとも１つの輸送トレイに対する少なくとも１つの閉鎖プレートの相対運動によって開放及び閉鎖でき、即ち輸送トレイ又は閉鎖プレートの運動が、開放及び閉鎖を可能とし、又は開放及び閉鎖に必要である。
【００１１】
本発明によるデバイスは、２つの主要構成部品、即ち輸送トレイ又は複数の輸送トレイの群と、閉鎖デバイスを有する支持フレームとを備える。
【００１２】
輸送トレイ（これ以降、１つのみの輸送トレイに関して言及するが、本発明によると複数の輸送トレイの使用も常に可能である）は、支持フレームから取り外すことができ、即ち支持フレームと輸送トレイとの間には恒常的接続は存在しない。輸送トレイを取り外すことにより、１つ又は複数の閉鎖プレートへの簡単なアクセスが提供され、従って上記１つ又は複数の閉鎖プレートの清掃が容易となる。
【００１３】
輸送トレイを取り外すと、例えば収容コンパートメントに係合してこれを清掃するよう特別に適合された複数の別個の清掃ユニットを有する適切な清掃デバイスを用いて、輸送トレイを迅速に清掃することもできる。あるいは輸送トレイは、例えば圧縮空気を用いて清掃することもできる。
【００１４】
薬剤の別個のポーションを供給するための本発明による輸送デバイスは、適切に適合された場合、自動薬剤分包デバイスの構成部品として（薬剤分包デバイス内で単に薬剤の別個のポーションを輸送し、清掃のためにのみ取り外される、「静置型」輸送デバイスとして）、又は通常は自動薬剤分包デバイスの一部である別の輸送デバイスに（例えば本発明による輸送デバイスの「静置型」バージョンに）薬剤の別個のポーションを供給するための「可動式」輸送デバイスとして使用できる。
【００１５】
薬剤を輸送できる基部開口は、閉鎖プレートと輸送トレイとの間の相対運動を用いて開放される。収容コンパートメントの配置及び個数（並びに基部開口の数）に応じて、閉鎖プレートの特別な設計又は閉鎖プレートの特定の個数も必要となる。
【００１６】
例えば、輸送トレイに収容コンパートメントが１列のみ配設される場合、一般に基部開口の直径に高さが適合された閉鎖プレートに関しては、収容コンパートメントの列に対して平行に配置するだけで十分である。開口は閉鎖プレートの高さに応じて開放される。収容コンパートメントの複数の（平行な）列が設けられる場合、１つの閉鎖プレートは、全ての列が連続的に開放されるよう、遥かに迅速に移動しなければならない。しかしながら閉鎖プレートを１つだけ使用する場合、これは長い移動経路を必要とし、これは管理が困難であり、また構成が複雑である。従って、輸送デバイスの１つの好ましい実施形態では、上記少なくとも１つの閉鎖プレートは、輸送トレイの基部開口の個数及びジオメトリに適合された複数の凹部を備える。あるいは、１列につき１つの連続した基部開口が存在してもよい。
【００１７】
あるいは、閉鎖プレートは「下向きに」開放されるように揺動してもよく、これは、輸送デバイスに関して、より高さの高い実施形態を必要とする場合があり、また本発明による輸送デバイスの静置型バージョンと共に使用すると恐らく最も合理的となる。
【００１８】
例えば可動式輸送デバイスが充填場所から送達場所へと移動された場合に、ユーザが気付かないうちに別個のポーションが落下し得ないよう、収容コンパートメントの基部開口は、薬剤の別個のポーションの供給を実施しようとする場合のみに開放されるべきであり、即ち基部開口は通常は閉鎖されているべきである。従って、輸送デバイスの１つの好ましい実施形態では、輸送デバイスは復元手段を備え、これを用いて、少なくとも１つの閉鎖プレートを輸送位置へと移動させてそこに保持できる。閉鎖プレートを送達位置に保持する力がそれ以上印加されなくなるとすぐに、復元手段の復元力によって、上記少なくとも１つの閉鎖プレートは（収容コンパートメントの基部開口が開放される）送達位置から輸送位置へと移動される。輸送位置では、閉鎖プレートは外力を印加されることなくこの位置に保持される。復元手段は例えば、少なくとも１つの閉鎖プレートの、輸送位置から外れる運動が存在する場合に、上記少なくとも１つの閉鎖プレートを輸送位置へと付勢する復元力を印加する、圧縮ばねであってよい。
【００１９】
収容コンパートメントの基部開口を開放するために閉鎖プレートを移動させる際の、輸送デバイスの対応する実施形態が示されている。しかしながら、基部開口を開放するために支持フレーム内の輸送トレイを移動させる場合、復元手段は、輸送トレイを輸送位置に移動させてこの位置に保持できるものであってよい。
【００２０】
ある可動式輸送デバイスから（例えば薬剤分包デバイスのコンパートメントとしての）別の可動式輸送デバイスへの、薬剤の別個のポーションの送達を簡略化するために、１つの好ましい実施形態では、輸送デバイスはハンドルを備え、このハンドルを用いて、少なくとも１つの輸送トレイ又は少なくとも１つの閉鎖プレートを輸送位置から薬剤送達位置へと移動させることができる。閉鎖プレートが１つしか存在しない場合（この閉鎖プレートは全ての基部開口を開放できる）、薬剤の別個のポーション全てを、ハンドルの１回の運動によって、閉鎖プレート下側に配置されたデバイスへと送達できる。輸送デバイスの対応する実施形態は、可動式のバージョンにおいて特に有用である。というのは、全ての薬剤を極めて容易かつ迅速に送達できるためである。
【００２１】
１つ又は複数の閉鎖プレートの清掃を更に簡略化するために、１つの好ましい実施形態では、閉鎖プレートを輸送デバイスに（閉鎖デバイスの一部として）着脱可能に取り付けてよい。各清掃にあたって閉鎖プレートを取り外すことは必ずしも必要ではないが、規則的な間隔での閉鎖プレートの完全な清掃／消毒が推奨されており、これは着脱可能に配設された閉鎖プレートを用いて迅速に実施できる。
【００２２】
輸送デバイス用の閉鎖デバイスは少なくとも１つの閉鎖プレートを備え、上述のように、これは「可動式」輸送デバイスの場合に特に有用である。
【００２３】
しかしながら、静置型輸送デバイスでは一般に、１ステップで全ての薬剤を送達することは望まれていない。薬剤は通常、輸送デバイスの下に配設された中間バッファに送達され、これを介してブリスター包装ユニットに供給される。中間バッファは通常、１列に配設された複数のサブユニットを備え、コスト面の理由から、原則として１つの薬剤分包デバイスは中間バッファを１つだけ含む。本発明による輸送デバイスの１つの好ましい実施形態では、上向きに開放された収容コンパートメントは、複数の列として配設され、閉鎖デバイスの少なくとも１つの閉鎖プレートが収容コンパートメントの各列に割り当てられる。複数の閉鎖プレートは好ましくは独立して運動でき、これにより収容コンパートメントの各列を別個に開放できる。薬剤の別個のポーションを送達するために、輸送デバイスは、中間バッファ内の全ての列を順次送達できるように、薬剤分包デバイス内で移動される。迅速なブリスター包装のために複数の列が設けられている場合、輸送デバイスは２ステップで移動してもよい。この場合、閉鎖プレートを２つ１組にして開放するだけで十分である場合もある。この実施形態ではまた、閉鎖プレートはあるいは下向き方向に「揺動して開く（ｓｗｉｎｇ  ｏｐｅｎ）」ものであってよい。
【００２４】
収容コンパートメントのこのような対称構造又は対称配置において、閉鎖プレートが１つの平面内に支承されてこの平面内で移動する場合、閉鎖プレート間に開放運動のために十分な距離（少なくとも基部開口の直径）が残るよう、閉鎖プレートが特定の最大幅を超えないことも必要となる（閉鎖プレートのこの実施形態では、幅は輸送デバイスの短い方の端面に対して平行な側部に関連する）。あるいは、基部開口が開放されると、閉鎖プレートは上記平面から外へと移動してよく、例えば隣接する閉鎖プレート上へ摺動してよく、又は下向きに揺動してよい。
【００２５】
輸送トレイ内に特に多数の収容コンパートメントの列が必要とされる場合、本発明の１つの好ましい実施形態では、収容コンパートメントの各列に２つの平行な閉鎖プレートが割り当てられる必要があり、上記２つの閉鎖プレートは、収容コンパートメントの基部開口の開放中に、例えば隣接する閉鎖プレートの下側又は上側に移動する。このようにして、閉鎖プレートの幅は単に基部開口の直径の約半分に等しいだけでよく、これにより収容コンパートメントの列を互いに近接して配置でき、これは１つの輸送トレイを用いて、有意に多数の別個のポーションを供給できることを意味する。
【００２６】
閉鎖プレートの幅は一般に、基部開口の完全な閉鎖を提供しながら、閉鎖プレート用の材料を過剰に無駄にしないよう、基部開口の直径よりもごく僅かに大きいだけである。
【００２７】
薬剤分包デバイスに対する輸送デバイスの設置／設置解除を簡略化するために、及び基部開口の完全な閉鎖を提供するために、輸送デバイスの１つの好ましい実施形態では、輸送デバイスはガイド手段を備え、このガイド手段を介して輸送デバイスを自動薬剤分包デバイス内に配置又は挿入でき、また自動薬剤分包デバイス内で移動させることができる。
【００２８】
これより本発明について、添付の図面を参照して更に詳細に説明する。
【図面の簡単な説明】
【００２９】
【図１Ａ】図１Ａは、本発明による輸送デバイスの第１の実施形態の等角投影図である。
【図１Ｂ】図１Ｂは、第１の実施形態の正面図である。
【図１Ｃ】図１Ｃは、第１の実施形態の、輸送位置における底面図である。
【図１Ｄ】図１Ｄは、第１の実施形態の、送達位置における底面図である。
【図２Ａ】図２Ａは、第２の実施形態の分解等角投影図である。
【図２Ｂ】図２Ｂは、第２の実施形態の上面図である。
【図２Ｃ】図２Ｃは、第２の実施形態の底面図である。
【図２Ｄ】図２Ｄは、第２の実施形態内の閉鎖デバイスの詳細図である。
【図２Ｅ】図２Ｅは、図２Ｃに示す切断線Ａ‐Ａに従った側面図である。
【発明を実施するための形態】
【００３０】
図１Ａ〜１Ｄに示す、本発明による輸送デバイス１の第１の実施形態は、図示されている実施形態の１つの部品として実現されている支持フレーム１２を備える。輸送トレイ１０は支持フレーム１２内に着脱可能に配置され、即ち輸送トレイ１０と支持フレーム１２との間には恒久的な取り付けは存在せず、トレイは単に支持フレームに静置されているだけである。
【００３１】
輸送トレイ１０は、上向きに開放された複数の収容コンパートメント１１を備え、これらは１つの平面内に配設され、輸送トレイ全体に広がり、基部開口１３（図１Ａでは確認できず、図１Ｃに示されている）を有する。収容コンパートメント１１は円筒又は円錐形状で実現でき、収容コンパートメントの範囲を画定する壁の表面は好ましくは、粒子が付着できないように実現される。
【００３２】
図示した実施形態では、支持フレーム１２内には輸送トレイ１０が１つだけ配設されている。他の実施形態では、輸送デバイスを異なる複数のサイズの薬剤に適合させるために、例えば異なる直径の収容コンパートメントを有する２つ以上の輸送トレイを、支持フレーム１２内に配設してよい。
【００３３】
窪みの形態の把持手段１６が支持フレーム１２の端面に備えられ、図１Ａでは等角投影によりこれら把持手段１６のうちの１つだけを確認できる。
【００３４】
支持フレーム１２の１つの長手方向側部にはハンドル２３を確認でき、これを用いて、輸送デバイス１の閉鎖デバイス２０の閉鎖プレート２１（図１Ｃ、１Ｄ参照）を、輸送トレイ１０及び収容コンパートメント１１の基部開口１３に対して移動させることができる。
【００３５】
輸送デバイス１は更に、支持フレーム１２の角部それぞれに位置決め手段１５を含み、これを用いて、薬剤を受承する別のデバイス上へ又は上記別のデバイスへ薬剤を送達するために、輸送デバイスを配設できる。
【００３６】
図１Ｃ、１Ｄは第１の実施形態の下から見た図を提供する。ここで図１Ｃは輸送デバイスの輸送位置を示し、図１Ｄは輸送デバイス１の送達位置を示す。
【００３７】
閉鎖デバイス２０の閉鎖プレート２１（図１Ｃ、１Ｄで確認できる）は、複数の保持手段１８を用いて支持フレームに取り付けられる。図示した実施形態では、閉鎖プレート２１、ハンドル２３に加えて、閉鎖デバイス２０は更に復元手段２２を備え、これは特に図１Ｃにおいて確認できるように、支持フレーム１２及び閉鎖プレート２１上で支持される。
【００３８】
閉鎖プレート２１は、図１Ｃに示す位置において輸送位置に配置される。閉鎖プレートは複数の凹部２４を備え、上記凹部２４の直径は、収容コンパートメント１１の基部開口１３の直径に適合され、図示した実施形態では、基部開口１３の直径及び凹部２４の直径は実質的に同一である。図１Ｃに示す輸送位置において、閉鎖プレート２１は凹部２４の列の間の領域によって収容コンパートメント１１の基部開口１３を被覆し、基部開口１３は破線を用いて示されている。
【００３９】
ハンドル２３を用いて、図１Ｃに示す輸送位置から図１Ｄに示す送達位置へと閉鎖プレート２１を移動させる（図１Ｃ、１Ｄのために選択された描写のタイプにおいては、閉鎖プレートの「上方への（ｕｐｗａｒｄ）」移動）際、ばね要素として実現された復元手段２２において復元力が構成され（又は増大し）、閉鎖プレートの凹部２４は、基部開口１３若しくは収容コンパートメントと同一平面で又は基部開口１３若しくは収容コンパートメントと整列して移動する。凹部２４／基部開口１３の並進が、収容コンパートメント内に配置された薬剤の別個のポーションにとって十分大きくなると、重力によって、輸送デバイスの下側に配設された別のデバイスへと薬剤がされる。
【００４０】
図１Ａ〜１Ｄに示す本発明による輸送デバイスの実施形態は、この輸送デバイスの可動式バージョンである。充填ワークステーションでは、輸送デバイスは、充填ワークステーションのユーザによって、特定の収容コンパートメントに関して事前に正確に指定された薬剤の別個のポーションを充填されてよく、また輸送デバイスはユーザによって、充填ワークステーションから自動薬剤分包デバイスへと輸送されてよい。ここで輸送デバイスの可動式バージョンは、位置決め手段１５を用いて、薬剤の別個のポーションを送達するための本発明による輸送デバイスの静置型形態の上に配置してよい。本発明による輸送デバイスの静置型バージョンについては、以下に説明する。
【００４１】
図２Ａ〜２Ｅは、本発明による輸送デバイスの第２の実施形態の様々な図を示し、この第２の実施形態は、輸送デバイスの静置型バージョンである。本明細書の文脈において、「静置（ｓｔａｔｉｏｎａｒｙ）」は、輸送デバイスが薬剤分包デバイス内で可動である（従ってこのデバイス内で薬剤の別個のポーションが輸送される）としても、この輸送デバイスが可動式輸送デバイスの輸送及び送達を特に目的として実現されてはいないことを意味するものと解釈されたい。例えば、静置型輸送デバイスを、実施され得る特別な清掃目的以外で、薬剤分包デバイスから取り外すことは意図されていない。１つ又は複数の閉鎖プレートは、輸送トレイを支持フレームから取り外すことができるよう、輸送デバイスを薬剤分包デバイスから十分に引き出した状態で清掃できる。
【００４２】
第１の実施形態と同様に、図２Ａ〜２Ｄに示す実施形態は支持フレーム１２を備え、この実施形態ではこの支持フレーム１２は４つの部品で実現され、２つの端面要素及び２つの長手方向要素を有する。支持フレーム１２には、複数の横列及び複数の縦列に配設された複数の収容コンパートメント１１を有する輸送トレイ１０が配設され、輸送トレイ１０は、支持フレーム１２の対応する支持表面１２ｂ上に、バー１０ａを介して支持される。輸送デバイス内において、支持フレームの端面要素は位置決め手段１５ｂを含み、この位置決め手段１５ｂを用いて、例えば輸送デバイスの可動式バージョンを、輸送デバイスの静置型バージョン上に位置決めできる。
【００４３】
支持フレーム１２の２つの端面要素に更に配設されるのは、この実施形態では凹状のハンドルとして実現される把持手段１６である。
【００４４】
図２Ａにおいて確認できるように、本発明による輸送デバイス１のこの実施形態は、単一の閉鎖プレート２１を含まず、互いに対して離間して平行に配設された複数の閉鎖プレート２１を含む。第２の実施形態による輸送デバイスは更に、支持フレーム１２の端面要素上にガイド手段１７を含み、このガイド手段１７を介して、輸送デバイスを自動薬剤分包デバイス内に配置でき、また自動薬剤分包デバイス内で可動である。
【００４５】
図２Ｃは第２の実施形態の底面図であり、図２Ｄは輸送デバイスの端面領域からの詳細図である。支持フレーム１２の端面要素には閉鎖プレートガイド２６が取り付けられ、この閉鎖プレートガイド２６内で、この実施形態で使用されている４つの閉鎖プレート２１全てがガイドされる。各閉鎖プレート２１の端部は、閉鎖プレートガイド２６から突出した閉鎖プレート突出部２１ａを有し、この閉鎖プレート突出部２１ａによって、閉鎖プレート２１は復元手段２２に対して独立して移動でき、閉鎖プレート２１のこのような運動中に、列状に配設された輸送トレイ１０の基部開口１３が開放される。
【００４６】
図２Ｃ、２Ｄは輸送位置を示し、この輸送位置では例えば、自動薬剤分包デバイス内で輸送デバイスを１列で移動させる。図示した実施形態では、復元手段２２はばねとして実現され、このばねは、少なくとも輸送位置から送達位置への閉鎖プレート２１の運動中に復元力を構成し、この復元力は、閉鎖プレート突出部２１ａによってそれ以上力が印加されなくなるとすぐに、閉鎖プレート２１を輸送位置へと戻す。
【００４７】
図示した実施形態では、閉鎖プレート２１は輸送デバイス１の外側に配設されたモータ（図示せず）によって移動される。しかしながら輸送デバイスの他の実施形態では、閉鎖プレートを移動させるためのモータを、輸送デバイス１の閉鎖デバイス２０の一部とすることもできる。
【００４８】
特に図２Ｄ、２Ｅにおいて確認できるように、支持フレーム１２の長手方向要素及び輸送トレイ１０の底部（図２Ｄでは下から、図２Ｅでは断面で確認される）は、材料を節約するために追加された切り欠き部１２ｃ、１０ｂを有する。
【００４９】
本発明による輸送デバイスに使用される材料は、付着した不純物が可能な限り少なくなるように、また例えば病院において遵守しなければならない全ての衛生学的規制を満たすように、選択するべきである。更にこの材料はいずれの需要に従って選択するべきである。
【００５０】
図２Ｃ〜２Ｅの下側部分それぞれでは、収容コンパートメント１１の１つの列（図示せず）に２つの閉鎖プレート２１ｂ、２１ｃが割り当てられる別の実施形態が提案され、これら２つの閉鎖プレート２１ｂ、２１ｃは、収容コンパートメントの列の基部開口を開放するために互いから離れるように移動でき、即ち一方が「上方に」移動でき、もう一方が「下方に」移動できる。収容コンパートメントの隣接する複数の列に対して２つの閉鎖プレートが割り当てられ、これらの列が互いに対して極めて近接して（基部開口の直径の約半分）配設されている場合、開放中に閉鎖プレートは隣接する閉鎖プレートの下側又は上側で摺動する。あるいは閉鎖プレートは、平面から外向きに揺動して開放される。
【００５１】
本発明によると、２つの図示した実施形態の多数の変形例が可能である。これまでに提案されているように、例えば輸送トレイを１つだけ使用するのではなく、代わりに例えば異なる寸法の収容コンパートメントを有する複数の輸送トレイを使用でき、この場合、使用される１つの閉鎖プレートの凹部、又は閉鎖プレートの寸法設定及び間隔設定は、収容コンパートメントの基部開口のジオメトリに適合されるよう、常に注意を払わなければならない。
【００５２】
図示した第２の実施形態では、閉鎖プレートは支持フレームの長手方向要素に対して平行に配向され、ここで閉鎖プレートは、支持フレームの端面要素に対して平行に配向することもでき、好ましい実施形態は、自動薬剤分包デバイスの設計に左右される。
【図１Ａ】
0006387089.tif 000002
【図１Ｂ】
0006387089.tif 000003
【図１Ｃ】
0006387089.tif 000004
【図１Ｄ】
0006387089.tif 000005
【図２Ａ】
0006387089.tif 000006
【図２Ｂ】
0006387089.tif 000007
【図２Ｃ】
0006387089.tif 000008
【図２Ｄ】
0006387089.tif 000009
【図２Ｅ】
0006387089.tif 000010